(57)【要約】【課題】複数台のエスカレーターのそれぞれに設置されている監視装置が異常通報するときに、無線通信環境が悪くても遠隔の監視センタに無線通報できること。【解決手段】複数のエスカレーター１０と、エスカレーターの異常を検出し通報する監視装置３０と、監視センタ７０にエスカレーターの異常通報を無線通信する無線通信装置４０と、を備えたエスカレーターの監視システムであって、監視装置３０は、自号機スイッチ３３と、最大号機スイッチ３４と、無線通信装置に異常通報を含めた通報を送る通報処理部３１と、を有し、通報処理部３１間には異常通報の代替を可能とする有線通信線８０を設け、通報処理部３１は、一の無線通信装置４０による異常通報の無線通信不能が発生した場合に、有線通信線８０を通じて、自号機スイッチ３３と最大号機スイッチ３４を用いて、他の監視装置内の無線処理部３１への通報依頼により他の通報処理部から異常通報を送信すること。【選択図】図１
2014205550.tif 000002
【特許請求の範囲】
【請求項１】
ビル内に設置されている複数のエスカレーターと、前記複数のエスカレーターのそれぞれに設けられエスカレーターの異常を検出し通報する監視装置と、前記監視装置に接続され遠隔の監視センタにエスカレーターの異常通報を無線通信する無線通信装置と、を備えたエスカレーターの監視システムであって、
前記監視装置は、各監視装置に対応するエスカレーターの号機を指定する自号機スイッチと、エスカレーターの予め決められた所定の号機を指定する所定号機スイッチと、前記異常の検出を基に前記無線通信装置に前記異常通報を含めた通報を送る通報処理部と、を有し、
前記複数の監視装置の前記通報処理部間には、前記異常通報の代替を可能とする有線通信線を設け、
前記通報処理部は、一の無線通信装置による前記監視センタへの異常通報の無線通信不能が発生した場合に、前記有線通信線を通じて、前記自号機スイッチと前記所定号機スイッチを用いて、他の監視装置内の無線処理部への通報依頼により他の通報処理部から異常通報を送信する
ことを特徴とするエスカレーターの監視システム。
【請求項２】
請求項１において、
前記所定号機スイッチは、ビル最上階に設けられた監視装置に対応する最大号機番号に設定されることを特徴とするエスカレーターの監視システム。
【発明の詳細な説明】
【技術分野】
【０００１】
本発明は、エスカレーターの監視システムに係わり、特に、エスカレーターの監視装置による異常通報を監視センタに送信するエスカレーター監視システムに関する。
【背景技術】
【０００２】
従来、エスカレーターの監視システムは、エスカレーターの異常を検出した監視装置から有線式の公衆回線網を経由して監視センタへ通報するものが知られている。ところで、既設のエスカレーターに監視装置を設置する場合、従来の有線式公衆回線網を使用していると、既設のビル内に通信線を新設しなければならず、工事期間や工事費用が増大するという課題が発生する。
【０００３】
そこで、上記の課題を解決するために、従来技術として、例えば、特許文献１には、乗客コンベアの筐体に設けた操作器（操作盤）に無線通信機のアンテナを取り付けて、ＰＨＳ（登録商標）等の公衆無線回線網を使用して、ビル管理者等の無線通信装置と通信することが提案されている。
【０００４】
また、例えば、特許文献２には、公衆無線回線網を使用して遠隔監視を行う遠隔監視システムにおいて、公衆無線回線網に接続する無線通信機の平面型アンテナをエスカレーター乗り口のポールに設置して、遠隔のＰＨＳ公衆基地局と通信可能とすることが提案されている。
【先行技術文献】
【特許文献】
【０００５】
【特許文献１】特開２００２−１４５５７０号公報
【特許文献２】特開２００７−１７２９号公報
【発明の概要】
【発明が解決しようとする課題】
【０００６】
しかしながら、上述した特許文献１や特許文献２に係る従来技術では、エスカレーターに隣設されている建物内のシャッタが閉じていると、周囲の無線通信環境が影響を受け、操作盤又はエスカレーター乗り口のポールに設置したアンテナと無線通信公衆基地局又は公衆無線回線網との間の無線データ通信が妨げられ、監視センタへの異常通報が困難となり、異常に対する対応が遅れてしまうという課題を生じる。
【０００７】
エスカレーターは、デパート等においては建物内で縦方向に複数台設置されていることが多く、夜間未使用階のシャッタが閉じている場合、エスカレーター毎の監視装置と監視センタ間の無線通信が困難になるという課題があった。
【０００８】
本発明は、このような課題を解決すべくなされたもので、複数台のエスカレーターのそれぞれに設置されている監視装置が無線通信装置を通して異常通報するときに、シャッタ等の設置によって無線環境が悪い場合であっても、監視装置の異常状態を遠隔の監視センタに通報することの可能なエスカレーター監視システムを提供することにある。
【課題を解決するための手段】
【０００９】
前記課題を解決するために、本発明は主として次のような構成を採用する。  
ビル内に設置されている複数のエスカレーターと、前記複数のエスカレーターのそれぞれに設けられエスカレーターの異常を検出し通報する監視装置と、前記監視装置に接続され遠隔の監視センタにエスカレーターの異常通報を無線通信する無線通信装置と、を備えたエスカレーターの監視システムであって、
前記監視装置は、各監視装置に対応するエスカレーターの号機を指定する自号機スイッチと、エスカレーターの予め決められた所定の号機を指定する所定号機スイッチと、前記異常の検出を基に前記無線通信装置に前記異常通報を含めた通報を送る通報処理部と、を有し、前記複数の監視装置の前記通報処理部間には、前記異常通報の代替を可能とする有線通信線を設け、前記通報処理部は、一の無線通信装置による前記監視センタへの異常通報の無線通信不能が発生した場合に、前記有線通信線を通じて、前記自号機スイッチと前記所定号機スイッチを用いて、他の監視装置内の無線処理部への通報依頼により他の通報処理部から異常通報を送信する構成とする。
【発明の効果】
【００１０】
本発明によれば、エスカレーター毎の監視装置に付設された無線通信装置を用いて監視センタと通信を行う際に、無線通信環境の悪化に伴う遠隔の監視センタとの通信エラーを低減して、信頼性の高いエスカレーターの異常通報を実施し得るエスカレーター監視システムを提供することができる。
【図面の簡単な説明】
【００１１】
【図１】本発明の実施形態に係るエスカレーター監視装置を備えた監視システムの全体構成を示すブロック図である。
【図２】本実施形態に係るエスカレーター監視装置毎の通報処理部同士で通信するデータフォーマットの構成例を示す図である。
【図３】本実施形態に係るエスカレーター監視装置の通報処理部における動作処理を示すフローチャートである。
【発明を実施するための形態】
【００１２】
本発明の実施形態に係るエスカレーター監視装置を備えた監視システムについて、図１〜図３を参照しながら以下説明する。図面において、１０ａ〜１０ｎはエスカレーター、２０ａ〜２０ｎは建物内のシャッタ、３０ａ〜３０ｎは監視装置、３１ａ〜３１ｎは通報処理部、３３ａ〜３３ｎは自号機スイッチ、３４ａ〜３４ｎは最大号機スイッチ、４０ａ〜４０ｎは無線通信装置、５０は無線通信公衆基地局、６０は公衆回線網、７０は監視センタ、８０は有線ローカル通信線、９０は無線通信網、をそれぞれ表す。
【００１３】
図１は本発明の実施形態に係るエスカレーター監視装置を備えた監視システムの全体構成を示すブロック図である。図１において、建物内に複数台のエスカレーター１０ａ〜１０ｎが設置されており、エスカレーター１０ａ〜１０ｎに近接する所定箇所には防犯・防災用のシャッタ２０ａ〜２０ｎが設置されており、また、エスカレーター１０ａ〜１０ｎの動作状態を監視する監視装置３０ａ〜３０ｎがエスカレーター毎に設置されている。
【００１４】
本実施形態に係るエスカレーター監視装置３０は、安全装置が動作したときの異常通報を発する通報処理部３１と、各監視装置３０の自号機を指定する自号機スイッチ３３（例えば、自号機を指定するＩＤ）と、複数の監視装置３０に対応する号機の内で所定の号機、通常は最上階の号機番号である最大号機を指定する最大号機スイッチ３４（例えば、最上階を指定するＩＤ）と、を有する。
【００１５】
また、本実施形態に係るエスカレーター監視装置を備えた監視システムは、複数のエスカレーターにそれぞれ設けられた監視装置３０ａ〜３０ｎと、監視装置３０ａ〜３０ｎに接続されて無線通信公衆基地局５０との間で無線通信網９０を形成する無線通信装置４０と、隣り合う監視装置内の通報処理部３１ａ〜３１ｎ間で依頼通報をやり取りする有線ローカル通信線８０と、から構成される。
【００１６】
広義の監視システムは、本実施形態に係るエスカレーター監視システムの外に、無線通信装置４０と無線通信網９０を介して接続された無線通信公衆基地局５０と、無線通信公衆基地局５０と公衆回線網６０を通して接続された監視センタ７０と、から成り立っている。
【００１７】
エスカレーター１０毎に設けられた監視装置３０ａ〜３０ｎには通報処理部３１ａ〜３１ｎが設けられ、この通報処理部３１ａ〜３１ｎは、エスカレーター１０ａ〜１０ｎの図示しない安全装置が動作すると、直結している無線通信装置４０ａ〜４０ｎを通し、無線通信公衆基地局５０及び公衆回線網６０を経由して監視センタ７０へ安全装置が動作したことの異常通報を送信する。
【００１８】
通報処理部３１ａ〜３１ｎ同士の間は有線のローカル通信線８０で接続されており、無線通信装置４０ａ〜４０ｎと無線通信公衆基地局５０間は無線通信網９０で接続されており、無線通信公衆基地局５０と監視センタ間は公衆回線網６０で接続されている。
【００１９】
監視装置３０ａ〜３０ｎには監視装置３０ａ〜３０ｎの各号機を指定する自号機スイッチ３３ａ〜３３ｎが設けられており、通常最下階から１号機、２号機と上階に向けて増加するよう号機番号が設定され（例えば、各号機を指定するＩＤ）、通常、最上階の監視装置の号機番号が最大号機番号となる。
【００２０】
また、各監視装置３０ａ〜３０ｎには、監視装置３０ａ〜３０ｎの号機の内で最大号機番号の監視装置を指定する最大号機スイッチ３４ａ〜３４ｎが設けられている。通常、最上階の監視装置３０ｎの号機番号が最大なので、最上階の監視装置３０ｎにおける最大号機スイッチ３４ｎのみオン設定し、他の監視装置の最大号機スイッチ３４ａ，３４ｂはオフ設定する。
【００２１】
ここで、本実施形態において、安全装置が動作して異常通報を実施する場合の概要について説明する。例示として、２号機のエスカレーター１０ｂの安全装置が動作し異常通報する場合、最初、監視装置３０ｂが自ら通報しようとし、監視装置３０ｂの通報処理部３１ｂは無線通信装置４０ｂから、無線通信公衆基地局５０及び公衆回線網６０を経由して監視センタ７０へ安全装置動作の異常通報を実施する。この通報が正常に終了すると、監視装置３０ｂの安全装置動作の異常通報は終了する。
【００２２】
しかし、シャッタ２０ｂが閉鎖している等によって無線通信装置４０ｂの無線通信環境が良くないと、通信エラーが発生し上記の安全装置動作の異常通報が正常に終了しない場合がある。この際、正常終了しないことの検知は通常の回線成立のチェックで実施されている事項である。このように異常通報が正常に終了しない場合、通報処理部３１ｂは最大号機スイッチ３４ｂがオンしていない（２号機の最大号機スイッチ３４ｂはオフになっている）ので、図２の通信データフォーマットに示すように、自号機スイッチ３３ｂの設定号機に１を加えた号機番号の通報処理部（図示例では３１ｎ）を通報依頼先に設定し、通報依頼元を自号機スイッチ３３ｂの設定号機（例では２号機）に設定し、依頼する通報内容の異常通報を、ローカル通信線８０を介して他の通報処理部に依頼する。
【００２３】
通報処理部３１ｎは有線ローカル通信線８０を介して、通報処理部３１ｂから依頼された通報依頼の依頼先号機番号と自号機スイッチ３３ｂの設定号機を比較し、合致していれば依頼通報を実施し、合致していなければ通報依頼を実施しない。また、通報依頼元号機番号と自号機スイッチ３３ｂの設定号機を比較し、合致していなければ通報依頼を実施し、合致していれば依頼通報元が自号機なので、接続されている他の通報処理部すべてが通報不可と判定し、通報処理を終了する。
【００２４】
以上概説した動作手順について、図３のフローチャートを使用して、監視装置３０ａ，３０ｂ，３０ｎの中の監視装置３０ｂを例にとって、その詳しい処理動作を以下説明する。監視装置３０ｂの通報処理部３１ｂは、ステップ１（以下、ステップをＳと記す。）において、監視しているエスカレーター１０ｂに設置されている安全装置動作等の新規通報要因発生の有無を確認する。新規通報要因が発生していれば（ＳｌでＹＥＳ）、Ｓ６の通報処理を実施する。
【００２５】
新規通報要因が発生していなければ（ＳｌでＮＯ）、Ｓ２で他号機からの通報依頼データ受信の有無を確認する。この処理はＳ１３で通報処理部３１ｂが他号機に依頼するものと同様な処理である。Ｓ２で他号機からの通報依頼がなければ（Ｓ２でＮＯ）、繰返しＳｌを実施する。
【００２６】
他号機からの通報依頼があれば（Ｓ２でＹＥＳ）、Ｓ３で受信データ（図２参照）の通報依頼先号機と自号機スイッチ３３ｂを比較する（例えば、通報依頼先号機と自号機のＩＤを比較する）。一致していなければ（Ｓ３でＮＯ）、処理を終了する。
【００２７】
一致していれば（Ｓ３でＹＥＳ）、Ｓ４で受信データ（図２参照）の通報依頼元号機と自号機スイッチ３３ｂを比較する（通報依頼元号機と自号機のＩＤを比較する）。一致していれば（Ｓ４でＹＥＳ）、通報処理部３１ｂが最初に通報処理を実施し通信エラー等で通報できず、他号機に通報依頼したが他号機全台が共に通報できず、依頼先が循環し通報処理部３１ｂに戻って依頼されたものであるため、通報依頼は実施せず、Ｓ５で通報未完処理を実施し処理を終了する。一致していなければ（Ｓ４でＮＯ）、Ｓ６の通報処理を実施する。
【００２８】
Ｓ６の通報処理で通報処理部３１ｂは、無線通信装置４０ｂから、無線通信公衆基地局５０及び公衆回線網６０を経由して監視センタ７０へ異常通報を実施する。Ｓ６の通報処理が正常に終了すると（Ｓ７でＹＥＳ）、監視装置３０ｂの通報処理部３１ｂの通報は終了する。
【００２９】
Ｓ６の通報処理が通信エラー等で正常に終了しなければ（Ｓ７でＮＯ）、Ｓ８で通報内容が他号機からの依頼通報か自号機検出通報か確認する。他号機からの依頼通報であれば（Ｓ８でＹＥＳ）、Ｓ１０を実施する。
【００３０】
他号機からの依頼通報でなければ（Ｓ８でＮＯ）、自号機で検出した通報なので、Ｓ９で通報依頼データを作成する。ここで作成する通報依頼データは、図２に示す通信データの通報依頼元号機は自号機スイッチ３３ｂの設定号機であり、通報内容は検出した安全装置動作等である。Ｓ９の処理を実施すると、Ｓ１０を実施する。
【００３１】
Ｓ１０では、自号機の監視装置３０ｂ内の最大号機スイッチ３４ｂを確認する。最大号機スイッチ３４ｂがオフしていれば（Ｓ１０でＮＯ）、Ｓｌｌで自号機スイッチ３３ｂの設定号機番号に１を加えた数値を、通報依頼データの通報依頼先号機に設定し、Ｓ１３を実施する。
【００３２】
Ｓ１０で、最大号機スイッチ３４ｂがオンしていれば（Ｓ１０でＹＥＳ）、Ｓ１２で通報依頼データの通報依頼先号機を１号機に設定し、Ｓ１３を実施する。Ｓ１３で、図２に示す通報依頼データを他号機の通報処理部３１ａ及び３１ｂに送信する。Ｓ１３で送信する通報依頼データは、他号機の通報処理部３１ａ及び３１ｂのＳ２で使用されることになる。
【００３３】
以上説明したように、本発明の実施形態によれば、無線環境が悪く通信エラーが発生した場合には、他の無線通信装置を利用して監視センタと通信を行うため、単独の場合に比べ、監視装置及び監視センタの間でデータ通信を確実に実行することができるシステムを構成できる。また、本実施形態の構成は、複数台のエスカレーターに関する異常通報システムに適用できるだけでなくて、複数台の歩く歩道の外に、当該歩道とエスカレーターとの組み合わせ構成体に対しても適用可能なものである。
【符号の説明】
【００３４】
１０ａ〜１０ｎ  エスカレーター
２０ａ〜２０ｎ  シャッタ
３０ａ〜３０ｎ  監視装置
３１ａ〜３１ｎ  通報処理部
３３ａ〜３３ｎ  号機スイッチ
３４ａ〜３４ｎ  最大号機スイッチ
４０ａ〜４０ｎ  無線通信装置
５０  無線通信公衆基地局
６０  公衆回線網
７０  監視センタ
８０  有線ローカル通信線
９０  無線通信網
【図１】
2014205550.tif 000003
【図２】
2014205550.tif 000004
【図３】
2014205550.tif 000005